(57)【要約】【課題】チャージと決済とを一度に行うことを目的としている。【解決手段】購入商品の登録を受け付けると、前記購入商品の合計金額を算出し、ある電子マネー識別情報を取得すると、電子マネー識別情報と残高情報とを対応付けて記憶した記憶部を参照し、前記ある電子マネー識別情報に対応付いた残高と前記購入商品の合計金額とを比較し、前記比較の結果に応じて、指定された精算装置へ前記購入商品の合計金額と前記ある電子マネー識別情報とを送信する、処理を前記コンピュータに実行させる登録プログラムである。【選択図】図８
2018190067.tif 000002
【特許請求の範囲】
【請求項１】
購入商品の登録を受け付けると、前記購入商品の合計金額を算出し、
ある電子マネー識別情報を取得すると、電子マネー識別情報と残高情報とを対応付けて記憶した記憶部を参照し、前記ある電子マネー識別情報に対応付いた残高と前記購入商品の合計金額とを比較し、
前記比較の結果に応じて、指定された精算装置へ前記購入商品の合計金額と前記ある電子マネー識別情報とを送信する、
処理をコンピュータに実行させることを特徴とする登録プログラム。
【請求項２】
前記比較の結果は、前記ある電子マネー識別情報に対応付いた残高が前記購入商品の合計金額よりも少ないことを示す結果である、
ことを特徴とする請求項１に記載の登録プログラム。
【請求項３】
ある電子マネー識別情報と購入商品の合計金額とを登録装置より受信する処理と、
現金を受け付けると、電子マネー識別情報と残高情報とを対応付け記憶した記憶部を参照し、前記ある電子マネー識別情報に対応付いた残高と、受け付けた前記現金の金額と、前記購入商品の合計金額とに基づいて、前記購入商品に関する決済処理と前記ある電子マネー識別情報に対応付く残高を更新する更新処理と、
をコンピュータに実行させることを特徴とする精算プログラム。
【請求項４】
前記決済処理は、前記現金の金額を前記ある電子マネー識別情報に対応付いた残高にチャージし、チャージ後の前記ある電子マネー識別情報に対応付いた残高と前記購入商品の合計金額とに基づいて行われる、
ことを特徴とする請求項３に記載の精算プログラム。
【請求項５】
購入商品の登録を受け付けると、前記購入商品の合計金額を算出し、ある電子マネー識別情報を取得すると、電子マネー識別情報と残高情報とを対応付けて記憶した記憶部を参照し、前記ある電子マネー識別情報に対応付いた残高と前記購入商品の合計金額とを比較し、前記比較の結果に応じて、指定された精算装置へ前記購入商品の合計金額と前記ある電子マネー識別情報とを送信する制御を行う登録制御部、
を備えることを特徴とする登録装置。
【請求項６】
ある電子マネー識別情報と購入商品の合計金額とを登録装置より受信し、現金を受け付けると、電子マネー識別情報と残高情報とを対応付けて記憶した記憶部を参照し、前記ある電子マネー識別情報に対応付いた残高と受け付けた前記現金の金額と前記購入商品の合計金額とに基づいて、前記購入商品に関する決済処理と前記ある電子マネー識別情報に対応付く残高を更新する制御を行う精算制御部
を備えることを特徴とする精算装置。
【請求項７】
購入商品の登録を受け付けると、前記購入商品の合計金額を算出し、
ある電子マネー識別情報を取得すると、電子マネー識別情報と残高情報とを対応付けて記憶した記憶部を参照し、前記ある電子マネー識別情報に対応付いた残高と前記購入商品の合計金額とを比較し、
前記比較の結果に応じて、指定された精算装置へ前記購入商品の合計金額と前記ある電子マネー識別情報とを送信する、
処理をコンピュータが実行することを特徴とする登録方法。
【請求項８】
ある電子マネー識別情報と購入商品の合計金額とを登録装置より受信し、
現金を受け付けると、電子マネー識別情報と残高情報とを対応付けて記憶した記憶部を参照し、前記ある電子マネー識別情報に対応付いた残高と、受け付けた前記現金の金額と、前記購入商品の合計金額とに基づいて、前記購入商品に関する決済処理と前記ある電子マネー識別情報に対応付く残高を更新する、
処理をコンピュータが実行することを特徴とする精算方法。
【発明の詳細な説明】
【技術分野】
【０００１】
本発明は、登録プログラム、精算プログラム、登録装置、精算装置、登録方法、精算方法に関する。
【背景技術】
【０００２】
従来から、購入される商品の情報を登録する登録装置と、登録された商品の情報に基づいて精算を行う精算装置とを有するＰＯＳ（Point  Of  Sales）システムが知られている。
【０００３】
また、従来のＰＯＳシステムでは、例えば、ハウス電子マネーカード等を用いて、電子マネーによって登録された商品代金の支払いが行われることが知られている。従来のＰＯＳシステムにおいて、電子マネーにより商品代金を支払う場合には、登録装置にて、購入される商品の情報が登録された後に、商品の情報の登録を行った従業員等によって、提示されたハウス電子マネーカード等を用いた決済処理が行われる。
【先行技術文献】
【特許文献】
【０００４】
【特許文献１】特開２００５−１８２３５８号公報
【発明の概要】
【発明が解決しようとする課題】
【０００５】
電子マネーにより商品代金を支払う際に、電子マネーの残高が不足していた場合、従来では、商品の情報の登録を中断し、ハウス電子マネーカード等に電子マネーのチャージを行った後に、商品の情報の登録を再開させる必要があった。このため、従来では、電子マネーの残高が不足していた場合には、電子マネーによる決済処理が煩雑になる。
【０００６】
１つの側面では、本発明は、チャージと決済とを一度に行うことを可能とすることを目的としている。
【課題を解決するための手段】
【０００７】
開示の技術は、購入商品の登録を受け付けると、前記購入商品の合計金額を算出し、ある電子マネー識別情報を取得すると、電子マネー識別情報と残高情報とを対応付けて記憶した記憶部を参照し、前記ある電子マネー識別情報に対応付いた残高と前記購入商品の合計金額とを比較し、前記比較の結果に応じて、指定された精算装置へ前記購入商品の合計金額と前記ある電子マネー識別情報とを送信する、処理を前記コンピュータに実行させる登録プログラムである。
【０００８】
上記各処理は、上記各処理を行う手順、上記各処理を実現する機能部としても良く、各処理をコンピュータに実行させるプログラムを記憶したコンピュータ読み取り可能な記憶媒体とすることもできる。
【発明の効果】
【０００９】
チャージと決済とを一度に行うことができる。
【図面の簡単な説明】
【００１０】
【図１】ＰＯＳシステムの概要を説明する図である。
【図２】ＰＯＳシステムのシステム構成の一例を示す図である。
【図３】登録装置のハードウェア構成の一例を示す図である。
【図４】精算装置のハードウェア構成の一例を示す図である。
【図５】登録制御部の機能を説明する図である。
【図６】精算制御部の機能を説明する図である。
【図７】登録制御部の処理を説明する第一のフローチャートである。
【図８】登録制御部の処理を説明する第二のフローチャートである。
【図９】精算制御部の処理を説明するフローチャートである。
【図１０】登録装置における画面遷移の一例を示す図である。
【図１１】精算装置における画面遷移の一例を示す第一の図である。
【図１２】精算装置における画面遷移の一例を示す第二の図である。
【発明を実施するための形態】
【００１１】
以下に図面を参照して、実施形態について説明する。図１は、ＰＯＳシステムの概要を説明する図である。
【００１２】
本実施形態のＰＯＳ（Point  Of  Sales）システムは、登録装置１００と、精算装置２００とを有する。
【００１３】
本実施形態の登録装置１００は、主に、ＰＯＳシステムが導入された店舗の従業員等によって使用されるＰＯＳレジスタであり、ＰＯＳシステムを用いて行われる取引の情報の登録が行われる。また、本実施形態の登録装置１００は、取引の情報の登録が完了すると、登録装置１００において指定された精算装置２００へ、取引の内容と、取引の内容に基づく精算を要求する精算要求情報を送信する。
【００１４】
本実施形態の精算装置２００は、主に、ＰＯＳシステムを用いて取引を行う顧客等によって使用されるＰＯＳ精算機である。精算装置２００では、登録装置１００から受信した精算要求情報に基づく会計処理の結果に応じて、精算（金銭の授受）が行われる。
【００１５】
本実施形態のＰＯＳシステムを用いて行われる取引とは、例えば、商品の購入や、ＰＯＳシステムが導入された店舗によって発行されたハウス電子マネーカードへの電子マネーのチャージ等を含む。また、本実施形態のＰＯＳシステムを用いて行われる取引には、顧客の銀行口座からの預金の引き出しも含む。
【００１６】
ＰＯＳシステムにおいて行われる取引が、商品の購入である場合、登録装置１００は、スキャナにより、商品に付されているバーコードを読み取って、商品に関する情報を取得し、精算要求情報を生成して指定された精算装置２００へ送信する。
【００１７】
また、ＰＯＳシステムにおいて行われる取引が、ハウス電子マネーカードへの電子マネーのチャージ等である場合、登録装置１００は、ハウス電子マネーカードの情報を読み取って精算要求情報を生成し、指定された精算装置２００へ送信する。
【００１８】
尚、本実施形態の商品に関する情報とは、商品の代金、商品名、商品の分類等が含まれて良い。以下の説明では、商品に関する情報を商品情報と呼ぶ。
【００１９】
精算装置２００では、受信した精算要求情報を順次記憶しておき、精算要求情報の指定と、会計処理の実行指示を受け付けると、精算要求情報に応じた会計処理を行う。
【００２０】
ここで、本実施形態では、支払方法にハウス電子マネーカードの電子マネーによる支払いが選択され、且つ、電子マネーの残高が不足していた場合に、精算装置２００において、電子マネーのチャージと商品代金の支払いとを一連の処理として実行することができる。
【００２１】
より具体的には、本実施形態では、電子マネーの残高が不足していた場合、登録装置１００において、読み取ったハウス電子マネーカードの情報と、電子マネーカードへのチャージの指示と、商品情報と、を含む精算要求情報を生成し、精算装置２００へ送信する。精算装置２００は、この精算要求情報を受信すると、精算装置２００に入金された現金を電子マネーとしてハウス電子マネーカードに登録（チャージ）し、商品情報に基づき、チャージされた電子マネーによって精算を行う。
【００２２】
このように、本実施形態では、登録装置１００におけるハウス電子マネーカードの１度の読み取りで、電子マネーのチャージと、商品の代金の支払いとを、一連の処理として実行することができる。言い換えれば、本実施形態では、ハウス電子マネーカードの電子マネーの残高が不足していても、商品代金の精算の前に、予め電子マネーをチャージしておく必要がない。したがって、本実施形態によれば、電子マネーを用いた支払いを円滑に行わせることができる。
【００２３】
以下に、本実施形態のＰＯＳシステムについて説明する。図２は、ＰＯＳシステムのシステム構成の一例を示す図である。
【００２４】
本実施形態のＰＯＳシステム３００は、登録装置１００と、精算装置２００と、管理サーバ４００と、を有する。本実施形態のＰＯＳシステム３００において、登録装置１００と、精算装置２００と、管理サーバ４００とは、ネットワークを介して接続されている。
【００２５】
また、本実施形態のＰＯＳシステム３００では、複数の精算装置２００を有していても良い。図２の例では、ＰＯＳシステム３００は、精算装置２００−１、精算装置２００−２、・・・、精算装置２００−ｎと、ｎ台の精算装置２００を有している。尚、以下の説明では、精算装置２００−１、精算装置２００−２、・・・、精算装置２００−ｎのそれぞれを区別しない場合には、精算装置２００と呼ぶ。
【００２６】
本実施形態のＰＯＳシステム３００において、精算装置２００の台数は、任意の数であって良い。
【００２７】
本実施形態の登録装置１００は、登録制御部１１０を有する。精算装置２００は、精算制御部２１０を有する。
【００２８】
本実施形態のＰＯＳシステム３００では、登録制御部１１０によって登録装置１００で生成された精算要求情報が、指定された精算装置２００へ送信される。精算装置２００は、精算制御部２１０によって、精算要求情報に含まれる取引の精算及び決済を実行する。
【００２９】
また、本実施形態の管理サーバ４００は、例えば、ＰＯＳシステム３００が導入された店舗において取り扱われている商品の商品情報や、顧客に関す情報等を管理する。
【００３０】
さらに、本実施形態のＰＯＳシステム３００は、ハウス電子マネーカードを管理するためのカード管理サーバ５００とネットワークを介して接続される。カード管理サーバ５００は、ハウス電子マネーカードに関する情報を管理するカード情報データベース５１０を有する。
【００３１】
カード情報データベース５１０には、登録制御部１１０や精算制御部２１０によって参照される記憶部である。
【００３２】
本実施形態のカード情報データベース５１０は、ハウス電子マネーカード毎に付与されたカード識別情報と、ハウス電子マネーカードに登録された電子マネーの残高を示す残高情報と、が対応付けられて格納されている。言い換えれば、本実施形態のカード識別情報は、ハウス電子マネーカードにチャージされた電子マネーの残高を特定するための電子マネー識別情報である。
【００３３】
また、本実施形態のカード情報データベース５１０において、カード識別情報に、顧客に関する情報が対応付けられていても良い。顧客に関する情報には、顧客名、顧客の住所や連絡先等が含まれる。
【００３４】
尚、本実施形態では、電子マネーは、ハウス電子マネーカードにチャージされるものとして説明するが、これに限定されない。本実施形態では、電子マネーのチャージされる媒体は、ハウス電子マネーカードに限定されない。電子マネーは、クレジットカードや、交通機関系のＩＣカード等にチャージされても良いし、スマートフォン等の携帯端末等にチャージされても良い。また、本実施形態では、電子マネーのチャージが可能である全ての媒体において、適用されても良い。
【００３５】
次に、図３及び図４を参照して、本実施形態の登録装置１００と精算装置２００のハードウェア構成について説明する。
【００３６】
図３は、登録装置のハードウェア構成の一例を示す図である。本実施形態の登録装置１００は、それぞれバスＢで相互に接続されている入力装置１、表示装置２、表示装置３、ドライブ装置４、補助記憶装置５、スキャナ装置６、メモリ装置７、演算処理装置８、通信装置９、印刷装置１０、カード読取装置１１を含む情報処理装置である。
【００３７】
入力装置１は、登録装置１００に対する各種の操作を行うための装置である。表示装置２は、取引の登録作業を行う作業者用の表示装置であり、取引の登録画面や、取り扱っている商品の一覧や、顧客に関する情報等が表示される。取引の登録作業を行う作業者用とは、例えば、ＰＯＳシステム３００が導入されている店舗の従業員等である。
【００３８】
表示装置３は、取引を行う顧客用の表示装置であり、登録された取引内容情報や、顧客のハウス電子マネーカードの残高、銀行口座の預金残高等が表示される。
【００３９】
ドライブ装置４は、取引の登録処理を行う取引登録プログラムを記録した記録媒体１２がセットされると、記録媒体１２から取引登録プログラムを補助記憶装置５にインストールする。
【００４０】
補助記憶装置５は、登録装置１００を制御する各種のプログラムが格納される。スキャナ装置６は、商品に付されたバーコード等を読み取る読取装置である。メモリ装置７は、登録装置１００の処理によって生成された各種の情報が格納される。演算処理装置８は、例えはＣＰＵ（Central  Processing  Unit）等であり、登録装置１００の全体を制御する。
【００４１】
通信装置９は、ＬＡＮカード等を含み、ネットワークに接続する為に用いられる。印刷装置１０は、必要に応じて媒体を印刷して発行する。例えば、印刷装置１０は、指定された精算装置２００において、登録された精算要求情報を特定するためのバーコード等が印刷された券等を出力しても良い。カード読取装置１１は、ハウス電子マネーカード等から、カード識別情報を読み取るカードリーダである。
【００４２】
本実施形態の登録装置１００は、演算処理装置８が補助記憶装置５に格納された登録プログラムに従って、後述するような各種処理を実現する。
【００４３】
図４は、精算装置のハードウェア構成の一例を示す図である。本実施形態の精算装置２００は、それぞれバスＢで相互に接続されている入力装置２１、表示装置２２、ドライブ装置２３、補助記憶装置２４、スキャナ装置２５、メモリ装置２６、演算処理装置２７、通信装置２８、印刷装置２９を含む情報処理装置である。
【００４４】
入力装置２１は、精算装置２００に対する各種の操作を行うための装置である。表示装置２２は、会計処理を行う顧客に対して、取引内容や、精算処理の実行結果等を表示させる。
【００４５】
ドライブ装置２３は、会計処理を行う会計プログラムを記録した記録媒体３１がセットされると、記録媒体３１から会計プログラムを補助記憶装置２４にインストールする。
【００４６】
補助記憶装置２４は、精算装置２００を制御する各種のプログラムが格納される。スキャナ装置２５は、例えば、登録装置１００において、取引内容情報を特定するバーコード等が発行された場合には、このバーコードを読み取る読取装置である。
【００４７】
メモリ装置２６は、精算装置２００の処理によって生成された各種の情報や、登録装置１００から送信された取引内容情報等が格納される。演算処理装置２７は、例えはＣＰＵ等であり、精算装置２００の全体を制御する。
【００４８】
通信装置２８は、ＬＡＮカード等を含み、ネットワークに接続する為に用いられる。印刷装置２９は、会計処理の結果を示すレシートを印刷物として出力する。
【００４９】
尚、本実施形態の精算装置２００は、ハウス電子マネーカード等から、カード識別情報（カードＩＤ）を読み取るカードリーダが接続されても良い。
【００５０】
本実施形態の精算装置２００は、演算処理装置２７が補助記憶装置２４に格納された精算プログラムに従って、後述するような各種処理を実現する。
【００５１】
次に、図５及び図６を参照して、本実施形態の登録装置１００の登録制御部１１０と、精算装置２００の精算制御部２１０のそれぞれの機能について説明する。
【００５２】
図５は、登録制御部の機能を説明する図である。本実施形態の登録制御部１１０は、入力受付部１１１、読取制御部１１２、表示制御部１１３、金額確定部１１４、支払方法判定部１１５、カード情報取得部１１６、残高比較部１１７、精算要求生成部１１８、電子マネー決済部１１９、送信部１２０を有する。
【００５３】
本実施形態の入力受付部１１１は、入力装置１に対する各種の入力を受け付ける。読取制御部１１２は、スキャナ装置６によるバーコードの読み取り等を制御する。また、本実施形態の読取制御部１１２は、カード読取装置１１によるカードＩＤの読み取りを制御する。表示制御部１１３は、表示装置２及び表示装置３の表示を制御する。
【００５４】
金額確定部１１４は、入力受付部１１１や読取制御部１１２によって登録された商品情報に基づき、商品の代金の合計額を算出し、確定させる。
【００５５】
支払方法判定部１１５は、金額確定部１１４によって確定された金額の支払方法を判定する。具体的には、支払方法判定部１１５は、表示制御部１１３によって、支払方法を選択させる操作ボタンを表示装置２に表示させ、操作に応じて支払方法を判定しても良い。本実施形態の支払方法とは、例えば、現金による支払いと、電子マネーによる支払いが含まれる。
【００５６】
カード情報取得部１１６は、カード管理サーバ５００のカード情報データベース５１０を参照し、カード読取装置１１によって読み取られたカードＩＤと対応付けられた電子マネーの残高を取得する。
【００５７】
残高比較部１１７は、金額確定部１１４によって確定された金額と、カード情報取得部１１６によって取得された電子マネーの残高とを比較する。
【００５８】
精算要求生成部１１８は、支払方法判定部１１５によって判定された支払方法に応じた精算要求情報を生成する。
【００５９】
具体的には、精算要求生成部１１８は、支払方法が、現金による支払いと判定された場合、金額確定部１１４によって確定された金額と、指定された精算装置２００を特定する情報とを含む精算要求情報を生成する。また、精算要求生成部１１８は、支払方法が、これからチャージされる電子マネーによる支払いと判定された場合、電子マネーのチャージの指示と、カード読取装置１１によって読み取られたハウス電子マネーカードの情報と、金額確定部１１４により確定された金額と、を含む精算要求情報を生成する。尚、ハウス電子マネーカードの情報とは、ハウス電子マネーカードを識別するためのカードＩＤや、ハウス電子マネーカードと対応付けられた電子マネーの残高を示す情報等である。
【００６０】
電子マネー決済部１１９は、支払方法が電子マネーによる支払いであると判定された場合、電子マネーによる決済を行う。
【００６１】
送信部１２０は、入力受付部１１１によって精算装置２００の指定を受け付けると、指定された精算装置２００に対し、精算要求情報を送信する。
【００６２】
次に、図６を参照して、本実施形態の精算装置２００の精算制御部２１０の機能について説明する。図６は、第一の実施形態の会計処理部の機能を説明する図である。
【００６３】
本実施形態の精算制御部２１０は、情報取得部２１１、支払方法判定部２１２、チャージ実行部２１３、決済処理部２１４、更新処理部２１５、精算部２１６、表示制御部２１７、印刷制御部２１８を有する。
【００６４】
情報取得部２１１は、登録装置１００から送信された精算要求情報を取得（受信）する。尚、ここで、精算制御部２１０は、精算要求情報に含まれるハウス電子マネーカードのカードＩＤを取得する。
【００６５】
支払方法判定部２１２は、情報取得部２１１が取得した精算要求情報に基づき、精算装置２００における支払方法が、電子マネーによる支払いであるか、又は、現金による支払いであるかを判定する。
【００６６】
チャージ実行部２１３は、現金が投入されると、投入された現金をハウス電子マネーカードにチャージする。具体的には、チャージ実行部２１３は、カード管理サーバ５００にハウス電子マネーカードのカードＩＤを送信し、カード情報データベース５１０において、カードＩＤと対応付けられた残高に、投入された現金の金額を加算する。
【００６７】
決済処理部２１４は、精算要求情報に基づき決済を行う。本実施形態の決済処理部２１４は、例えば、支払方法が現金であった場合には、現金による決済を行う。また、決済処理部２１４は、支払方法が電子マネーであった場合には、電子マネーによる決済を行う。
【００６８】
更新処理部２１５は、電子マネーによる支払いを行った後に、カード情報データベース５１０を更新させる。具体的には、更新処理部２１５は、ハウス電子マネーカードにチャージされた電子マネーによって決済が行われた場合、カード情報データベース５１０において、決済に用いられたハウス電子マネーカードのカードＩＤと対応付けられた残高から、支払った金額を減算することで、カード情報データベース５１０を更新する。
【００６９】
精算部２１６は、支払額又は払出額に応じて、金銭の受取、釣り銭や預金の払い出し等を行う。
【００７０】
表示制御部２１７は、表示装置２２の表示を制御する。印刷制御部２１８は、決済処理部２１４による処理結果情報に応じて、印刷装置２９から取引毎のレシートを出力させる。
【００７１】
次に、図７及び図８を参照して、本実施形態の登録装置１００の有する登録制御部１１０と、精算装置２００の有する精算制御部２１０の処理について説明する。
【００７２】
図７は、登録制御部の処理を説明する第一のフローチャートである。本実施形態の１１０は、商品情報を取得する（ステップＳ７０１）。具体的には、登録制御部１１０は、入力受付部１１１が受け付けた操作により入力された商品情報や、読取制御部１１２によって、商品に付されたバーコードから読み取られ商品情報を取得する。
【００７３】
商品情報の入力が完了すると、登録制御部１１０は、金額確定部１１４により、入力された商品情報に基づき、支払いの合計額を算出する（ステップＳ７０２）。
【００７４】
尚、本実施形態の登録制御部１１０は、表示制御部１１３により、商品情報の入力が行われる画面や、支払い額の合計額が表示された画面を、表示装置２、３に表示させても良い。
【００７５】
続いて、登録制御部１１０は、入力受付部１１１により、支払方法を選択する操作の入力を受け付ける（ステップＳ７０３）。具体的には、入力受付部１１１は、表示装置２において表示された支払い額の合計額を示す画面において、支払方法を選択する操作を受け付けても良い。
【００７６】
また、本実施形態では、支払方法に電子マネーが選択された場合には、支払いに使用されるハウス電子マネーカードのカードＩＤ等が表示装置２に表示されても良い。
【００７７】
続いて、登録制御部１１０は、支払方法判定部１１５により、選択された支払方法が電子マネーによる支払であるか否かを判定する（ステップＳ７０４）。
【００７８】
ステップＳ７０４において、支払方法が電子マネーでない場合、つまり、支払方法に現金が選択された場合、登録制御部１１０は、現金による精算要求処理を行い（ステップＳ７０５）、処理を終了する。
【００７９】
具体的には、登録制御部１１０は、入力受付部１１１により、精算を行う精算装置２００を選択する操作を受け付けると、精算要求生成部１１８により、支払い額の合計を含む精算要求情報を生成する。そして、登録制御部１１０は、送信部１２０により、選択された精算装置２００に、精算要求情報を送信する。
【００８０】
ステップＳ７０４において、支払方法が電子マネーである場合、登録制御部１１０は、電子マネーによる支払処理を実行し（ステップＳ７０６）、処理を終了する。
【００８１】
以下に、図８を参照して、登録制御部１１０による電子マネーによる支払処理について説明する。図８は、登録制御部の処理を説明する第二のフローチャートである。
【００８２】
本実施形態の登録制御部１１０は、電子マネーがチャージされたハウス電子マネーカードがカード読取装置１１に翳されると、読取制御部１１２により、ハウス電子マネーカードのカードＩＤを読み取る（ステップＳ８０１）。
【００８３】
続いて、登録制御部１１０は、カード情報取得部１１６により、カード管理サーバ５００のカード情報データベース５１０を参照し、カードＩＤと対応付けられた残高を取得する（ステップＳ８０２）。次に、登録制御部１１０は、残高比較部１１７により、取得した残高と、支払い額の合計額とを比較し、残高不足であるか否かを判定する（ステップＳ８０３）。
【００８４】
ステップＳ８０３において、残高不足でない場合、登録制御部１１０は、電子マネー決済部１１９により電子マネーによる支払処理を実行し（ステップＳ８０４）、処理を終了する。尚、本実施形態の登録制御部１１０は、電子マネーによる支払が完了した後に、カード情報データベース５１０において、ハウス電子マネーカードと対応付けられた残高を更新しても良い。具体的には、登録制御部１１０は、カード情報データベース５１０において、ハウス電子マネーカードと対応付けられた残高を、残高から支払い額の合計額を減算した金額に更新しても良い。
【００８５】
ステップＳ８０４において、残高不足であると判定された場合、残高比較部１１７は、精算要求生成部１１８に対し、ハウス電子マネーカードに対するチャージの予約を行う（ステップＳ８０５）。尚、本実施形態では、チャージの予約を行う際に、チャージする予定の金額が入力され、この入力された金額が表示装置２，３に表示されても良い。
【００８６】
また、チャージする予定の金額を入力する際、チャージ後の残高が支払い額の合計額に足りるかどうか判断し、残高不足の場合はチャージ予約を受け付けず、残高不足が解消されるまで新しいチャージ予定金額を受け付けても良い。もしくは、残高が支払い額の合計額に達するための最低チャージ金額を表示して、その金額以上は入力できないようにしても良い。
【００８７】
続いて、登録制御部１１０は、精算要求生成部１１８により、精算要求情報を生成する（ステップＳ８０６）。ここでは、精算要求情報は、ハウス電子マネーカードのカードＩＤ、商品情報、電子マネーのチャージ処理の指示を含む。
【００８８】
続いて、登録制御部１１０は、入力受付部１１１により、精算要求情報の送信先となる精算装置２００の選択を受け付ける（ステップＳ８０７）。尚、このとき、表示制御部２１７は、表示装置２に精算装置２００の選択を受け付ける画面を表示させても良い。
【００８９】
続いて、登録制御部１１０は、送信部１２０により、選択された精算装置２００へ精算要求情報を送信し（ステップＳ８０８）、処理を終了する。
【００９０】
次に、図９を参照して、本実施形態の精算装置２００の精算制御部２１０の処理について説明する。図９は、精算制御部の処理を説明するフローチャートである。
【００９１】
本実施形態の精算装置２００は、精算制御部２１０の情報取得部２１１により、精算要求情報を受信し、取得する（ステップＳ９０１）。
【００９２】
続いて、精算制御部２１０は、支払方法判定部２１２により、精算要求情報が示す支払方法が電子マネーによるものであるかい否かを判定する（ステップＳ９０２）。具体的には、支払方法判定部２１２は、例えば、精算要求情報にカードＩＤが含まれる場合に、この精算要求情報が示す支払方法を電子マネーによるものと判定しても良い。また、支払方法判定部２１２は、精算要求情報にカードＩＤが含まれない場合に、この精算要求情報が示す支払方法を現金によるものと判定しても良い。
【００９３】
ステップＳ９０２において、精算要求情報が示す支払方法が現金と判定された場合、精算制御部２１０は、精算部２１６によって、現金を受け付け、支払い額の合計額との精算を行い（ステップＳ９０３）、処理を終了する。尚、このとき、精算制御部２１０は、表示制御部２１７によって、支払方法が現金であることや支払い額の合計額を表示装置２２に表示させてもよい。また、精算制御部２１０は、印刷制御部２１８によって、印刷装置２９から取引の内容が記載されたレシートを発行させても良い。
【００９４】
ステップＳ９０２において、支払方法が電子マネーによるものと判定された場合、精算制御部２１０は、精算要求情報に含まれるチャージ処理の指示に応じて、チャージ実行部２１３により、現金が入金されたことを契機として、ハウス電子マネーカードへのチャージ処理を行う（ステップＳ９０４）。
【００９５】
具体的には、チャージ実行部２１３は、カード管理サーバ５００のカード情報データベース５１０において、精算要求情報に含まれるカードＩＤと対応付けられた残高に、入金された現金の金額を加算する。尚、このとき、精算制御部２１０は、表示制御部２１７により、ハウス電子マネーカードにチャージされた金額の残高や、入金される現金の金額等を示す画面を表示装置２２に表示させても良い。
【００９６】
続いて、精算制御部２１０は、決済処理部２１４により、ハウス電子マネーカードにチャージされた残高から、支払い額の合計額を支払う処理を実行する（ステップＳ９０５）。続いて、精算制御部２１０は、更新処理部２１５により、カード管理サーバ５００のカード情報データベース５１０を更新し（ステップＳ９０６）、処理を終了する。
【００９７】
尚、本実施形態の表示制御部２１７は、表示装置２２に、支払いの処理の実行と、更新処理が完了すると、チャージが完了したことを通知する画面や、支払いが完了したことを通知する画面を表示させても良い。
【００９８】
具体的には、更新処理部２１５は、カード情報データベース５１０において、カードＩＤと対応付けられた残高から、支払い額の合計額を減算し、カード情報データベース５１０を更新する。
【００９９】
上記ステップＳ９０４〜Ｓ９０５においては、一連の内部の処理を簡略化するために、Ｓ９０５の電子マネーによる支払い処理を省略し、Ｓ９０４において、チャージ予定金額からあらかじめ商品の支払い額の合計額を減算した金額を、実際にチャージする金額としても良い。この場合において、ステップＳ９０６におけるカード情報データベース５１０の更新内容は、ステップＳ９０４〜Ｓ９０５を実施した場合と比べて、何ら変わらない。
【０１００】
次に、図１０及び図１１を参照して、本実施形態の登録装置１００と精算装置２００のそれぞれにおいて表示される画面の遷移について説明する。
【０１０１】
図１０は、登録装置における画面遷移の一例を示す図である。図１０（Ａ）は、支払方法の選択において、電子マネーが選択された後に、支払いに用いられるハウス電子マネーカードの情報が表示された画面の一例を示している。図１０（Ｂ）は、チャージの予約において、チャージする予定の金額が表示された画面の例を示している。図１０（Ｃ）は、チャージ予約が行われた後のハウス電子マネーカードの情報が表示された画面の例を示している。図１０（Ｄ）は、精算装置の選択を行う画面の一例を示している。
【０１０２】
図１０（Ａ）に示す画面１０１−１では、電子マネーの支払いに使用されるハウス電子マネーカードの情報１３１が表示されている。ハウス電子マネーカードの情報１３１には、ハウス電子マネーカードのカードＩＤや有効期限等が含まれる。
【０１０３】
また、画面１０１−１では、合計欄１３２と、残高欄１３３とが表示されている。合計欄１３２には、支払い額の合計額が表示される。残高欄１３３には、ハウス電子マネーカードの情報１３１で特定されるハウス電子マネーカードの残高が表示される。図１０（Ａ）の例では、合計額が１３００円であり、残高が１０００円であることから、ハウス電子マネーカードの残高不足であることがわかる。
【０１０４】
操作ボタン１３４は、ハウス電子マネーカードが残高不足の場合に、チャージ予約を選択するためのものであり、操作ボタン１３４が選択された場合、登録制御部１１０は、表示制御部１１３により、画面１０１−１を、チャージの予約を行う画面１０１−２に遷移させる。
【０１０５】
図１０（Ｂ）に示す画面１０１−２では、チャージ金額欄１３５が表示されている。チャージ金額欄１３５では、ハウス電子マネーカードに対するチャージの予約において、チャージされる予定の金額が表示されている。チャージされる予定の金額は、金額を選択するためのボタン１５２等によって選択されても良いし、任意の数字が入力されても良い。
【０１０６】
登録装置１００では、チャージの予約が完了すると、図１０（Ｃ）に示す画面１０１−３が表示される。ここで、画面１０１−３は、２０００円のチャージ予約を行った後のため、残高欄に表示される金額は３０００円となっている。精算装置２００は、画面１０１−３において、預／合計ボタンが押下されると、表示制御部１１３により、画面１０１−３を画面１０１−４に遷移させる。
【０１０７】
図１０（Ｄ）に示す画面１０１−４が表示される。画面１０１−４では、操作ボタン１３６、操作ボタン１３７が表示されている。操作ボタン１３６は、精算装置２００を選択して精算要求情報が送信するためのものであり、操作ボタン１３７は、オフライン時に精算要求情報を二次元バーコード等に印字した精算券を出力するためのものである。
【０１０８】
また、画面１０１−４には、合計欄１３２、預かり金欄１３８、お釣り欄１３９が表示されている。図１０の例では、商品代金の全額がハウス電子マネーカードにより支払が行われることから、預かり金欄１３８には、商品の支払い額の合計額が表示される。お釣り欄１３９には、預かり金欄１３８に表示された金額から、合計欄１３２に表示された金額を減算した金額が表示される。
【０１０９】
画面１０１−４では、合計欄１３２には１３００円が表示され、預かり金欄１３８には、合計欄と同じ金額の１３００円が表示され、お釣り欄１３９には、０円が表示されている。
【０１１０】
図１１は、精算装置における画面遷移の一例を示す第一の図であり、図１２は、精算装置における画面遷移の一例を示す第二の図である。
【０１１１】
図１１（Ａ）は、精算装置でチャージ金額を指定する場合の画面の例を示す図である。図１１（Ｂ）は、現金の入金を案内する画面の例を示す図である。図１１（Ｃ）は、チャージ処理の実行を指示する画面の例を示す図である。図１２（Ａ）は、チャージが完了したことを通知する画面の例を示す図であり、図１２（Ｂ）は、電子マネーによる商品代金の支払いが完了したことを通知する画面の例を示す図である。図１２（Ｃ）は、全ての取引が完了したことを通知する画面の例を示す図である。
【０１１２】
図１１（Ａ）に示す画面２０１−１は、精算装置２００でチャージする金額を指定する場合の例を示している。尚、登録装置１００でチャージする金額を指定されている場合においては、画面２０１−１は省いても良い。
【０１１３】
図１１（Ｂ）に示す画面２０１−２は、登録装置１００により送信された精算要求情報を表示し、現金の投入を指示する画面の例を示している。ここで、ハウス電子マネーカードの情報は、登録装置１００で読み取られ、精算装置２００に送信された精算要求情報に含まれる情報である。また、図１１（Ｂ）では、チャージする金額として、２０００円が指定された場合の例を示している。
【０１１４】
尚、精算装置２００にカード読取装置が接続されており、この読取装置でハウス電子カードが読み取られた場合、画面２０１−２では、精算装置２００のカード読取装置によって読み取られたカードの情報を表示しても良い。
【０１１５】
画面２０１−２には、支払方法を示す欄１４１、チャージ金額欄１４２、入金金額欄１４３、残り入金金額欄１４４が表示されている。
【０１１６】
支払い方法を示す欄１４１には、支払方法が現金であることが表示されている。チャージ金額欄１４２では、チャージする予定の金額である２０００円が表示されている。入金金額欄１４３では、まだ入金されていないことから、０円が表示されている。残り入金金額欄１４４には、チャージ金額から入金金額を減算した２０００円が表示されている。
【０１１７】
画面２０１−２は、図１１（Ｃ）に示す画面２０１−３に遷移する。画面２０１−３では、画面２０１−２と同様、チャージ金額１４２、入金金額１４３、残り入金金額１４４が表示されている。さらに、おつり欄１４６および操作ボタン１４５も表示されている。
【０１１８】
画面２０１−３において、入金金額欄１４３では、投入した金額である５０００円が表示されている。残り入金金額欄１４４では、入金金額がチャージ金額を上回っていることから、０円と表示されている。さらに、おつり欄は入金金額からチャージ金額を減算した３０００円が表示されている。画面２０１−３において、操作ボタン１４５が操作されると、ハウス電子マネーカードへのチャージ処理が実行され、画面２０１−３は、図１２（Ａ）に示す画面２０１−４に遷移する。
【０１１９】
画面２０１−４では、チャージが完了したことを示すメッセージ１４７と、おつりがあることを示すメッセージ１４８と、釣銭の金額１４９である３０００円が表示されている。
【０１２０】
したがって、画面２０１−４では、顧客に対して、チャージと支払いの両方が完了したことを通知することができる。
【０１２１】
精算装置２００は、釣銭である３０００円を排出した後、画面２０１−４を、図１２（Ｂ）に示す画面２０１−５へ遷移させる。画面２０１−５では、ハウス電子マネーカードのチャージ処理に続いて、商品代金のハウス電子マネーカード支払処理が継続して実行されたことが分かる。また、画面２０１−５の残高金額１５０では、商品代金の支払後、ハウス電子マネーカードの残高金額が１７００円になったことを示している。尚、画面２０１−５で表示している残高金額１５０を画面２０１−３に表示し、画面２０１−５は省略しても良い。
【０１２２】
画面２０１−５は、一定時間経過後、図１２（Ｃ）に示す画面２０１−６に遷移する。画面２０１−６では、レシートが発行されることを通知するメッセージ１５１が表示される。
【０１２３】
以上のように、本実施形態では、登録装置１００における、一度のハウス電子マネーカードの読み取りにより、精算装置２００において、ハウス電子マネーのチャージと、支払いとを行うことができる。
【０１２４】
また、本実施形態では、精算装置２００において、ハウス電子マネーカードに対するチャージが完了した後に、商品代金の支払いが行われる。このため、例えば、ＰＯＳシステム３００を導入している店舗側が、一時的にハウス電子マネーカードにチャージする金額を立て替える、といったこともなくなる。
【０１２５】
例えば、登録装置１００側で、ハウス電子マネーカードのチャージを行う場合について考える。この場合、顧客は、商品の登録を行っている従業員等にハウス電子マネーカードを提示し、指定した金額のチャージを依頼する。従業員は、この依頼を受けて、登録装置１００において、チャージ処理を実行させる。
【０１２６】
しかし、この場合、顧客は、金額を指定しただけであり、実際に入金はしていない。つまり、この場合、商品の登録が完了した時点で、顧客がチャージを依頼したときに指定した金額を店舗側が立て替えている状態となる。
【０１２７】
この状態は、顧客が精算装置２００において、チャージを依頼したときに指定した金額の現金を入金するまで、維持される。したがって、商品の登録時にチャージを依頼する顧客が多いほど、店舗の負担が増える。
【０１２８】
これに対し、本実施形態では、登録装置１００では、精算装置２００に対してチャージ処理の実行を指示するものである。また、精算装置２００では、顧客が現金を入金することで、チャージ処理が実行される。
【０１２９】
したがって、本実施形態によれば、店舗がチャージされる金額を立て替える状態をなくすことができ、店舗の負担を軽減させることができる。
【０１３０】
また、本実施形態では、ハウス電子マネーカードに対するチャージは、現金によって行われるものとしているが、これに限定されない。本実施形態では、ハウス電子マネーカードによるチャージは、例えば、銀行の口座から引き出した預金を直接ハウス電子マネーカードにチャージしても良い。この場合には、銀行の口座から預金を引き出す処理、ハウス電子マネーカードにチャージする処理、商品代金を支払う処理が、精算装置２００において、一連の処理として実行される。
【０１３１】
開示の技術では、以下に記載する付記のような形態が考えられる。
（付記１）
購入商品の登録を受け付けると、前記購入商品の合計金額を算出し、
ある電子マネー識別情報を取得すると、電子マネー識別情報と残高情報とを対応付けて記憶した記憶部を参照し、前記ある電子マネー識別情報に対応付いた残高と前記購入商品の合計金額とを比較し、
前記比較の結果に応じて、指定された精算装置へ前記購入商品の合計金額と前記ある電子マネー識別情報とを送信する、処理を前記コンピュータに実行させる
ことを特徴とする登録プログラム。
（付記２）
前記比較の結果、前記ある電子マネー識別情報に対応付いた残高が前記購入商品の合計金額よりも少ない結果である、
ことを特徴とする付記１に記載の登録プログラム。
（付記３）
ある電子マネー識別情報と購入商品の合計金額とを登録装置より受信する処理と、
現金を受け付けると、電子マネー識別情報と残高情報とを対応付け記憶した記憶部を参照し、前記ある電子マネー識別情報に対応付いた残高と、受け付けた前記現金の金額と、前記購入商品の合計金額と、に基づき前記購入商品に関する決済処理と前記ある電子マネー識別情報に対応付く残高を更新する更新処理と、
をコンピュータに実行させる、ことを特徴とする精算プログラム。
（付記４）
前記決済処理は、前記現金の金額を前記ある電子マネー識別情報に対応付いた残高にチャージし、チャージ後の前記ある電子マネー識別情報に対応付いた残高と前記購入商品の合計金額とに基づいて行われる、
ことを特徴とする付記３に記載の精算プログラム。
（付記５）
前記現金の金額と、前記チャージ後の前記ある電子マネー識別情報に対応付いた残高と、前記チャージ後の前記ある電子マネー識別情報に対応付いた残高から前記購入商品の合計金額を減算した結果である釣銭の金額と、を含む画面を表示させる処理を、コンピュータに実行させることを特徴とする、付記３に記載の精算プログラム。
（付記６）
前記ある電子マネー識別情報に対応付いた残高に対するチャージが完了したことを示す通知と、前記購入商品に関する決済処理が完了したことを示す通知と、を含む画面を表示させる処理を、前記コンピュータに実行させることを特徴とする、付記３に記載の精算プログラム。
（付記７）
購入商品の登録を受け付けると、前記購入商品の合計金額を算出し、ある電子マネー識別情報を取得すると、電子マネー識別情報と残高情報とを対応付けて記憶した記憶部を参照し、前記ある電子マネー識別情報に対応付いた残高と前記購入商品の合計金額とを比較し、前記比較の結果に応じて、指定された精算装置へ前記購入商品の合計金額と前記ある電子マネー識別情報とを送信する制御を行う登録制御部、
を備える登録装置。
（付記８）
ある電子マネー識別情報と購入商品の合計金額とを登録装置より受信し、現金を受け付けると、電子マネー識別情報と残高情報とを対応付けて記憶した記憶部を参照し、前記ある電子マネー識別情報に対応付いた残高と受け付けた前記現金の金額と前記購入商品の合計金額とに基づいて、前記購入商品に関する決済処理と前記ある電子マネー識別情報に対応付く残高を更新する制御を行う精算制御部、
を備えることを特徴とする精算装置。
（付記９）
前記決済は、前記現金の金額を前記ある電子マネー識別情報に対応付いた残高にチャージし、チャージ後の前記ある電子マネー識別情報に対応付いた残高と前記購入商品の合計金額とに基づいて行われる、
ことを特徴とする付記８に記載の精算装置。
（付記１０）
購入商品の登録を受け付けると、前記購入商品の合計金額を算出し、
ある電子マネー識別情報を取得すると、電子マネー識別情報と残高情報とを対応付け記憶した記憶部を参照し、前記ある電子マネー識別情報に対応付いた残高と前記購入商品の合計金額とを比較し、
前記比較の結果に応じて、指定された精算装置へ前記購入商品の合計金額と前記ある電子マネー識別情報とを送信する、
処理をコンピュータが実行することを特徴とする登録方法。
（付記１１）
ある電子マネー識別情報と購入商品の合計金額とを登録装置より受信し、
現金を受け付けると、電子マネー識別情報と残高情報とを対応付け記憶した記憶部を参照し、前記ある電子マネー識別情報に対応付いた残高と受け付けた前記現金の金額と前記購入商品の合計金額とに基づいて、前記購入商品に関する決済処理と前記ある電子マネー識別情報に対応付く残高を更新する、
処理をコンピュータが実行することを特徴とする精算方法。
（付記１２）
前記決済は、前記現金の金額を前記ある電子マネー識別情報に対応付いた残高にチャージし、チャージ後の前記ある電子マネー識別情報に対応付いた残高と前記購入商品の合計金額とに基づいて行われる、
ことを特徴とする付記１１に記載の精算方法。
【０１３２】
本発明は、具体的に開示された実施形態に限定されるものではなく、特許請求の範囲から逸脱することなく、種々の変形や変更が可能である。
【符号の説明】
【０１３３】
１００  登録装置
１１０  登録制御部
１１１  入力受付部
１１２  読取制御部
１１３、２１７  表示制御部
１１４  金額確定部
１１５、２１２  支払方法判定部
１１６  カード情報取得部
１１７  残高比較部
１１８  精算要求生成部
１１９  電子マネー決済部
２００  精算装置
２１０  精算制御部
２１１  情報取得部
２１３  チャージ実行部
２１４  決済処理部
２１５  更新処理部
２１６  精算部
２１８  印刷制御部
３００  ＰＯＳシステム
４００  管理サーバ
５００  カード管理サーバ
５１０  カード情報データベース
【図１】
2018190067.tif 000003
【図２】
2018190067.tif 000004
【図３】
2018190067.tif 000005
【図４】
2018190067.tif 000006
【図５】
2018190067.tif 000007
【図６】
2018190067.tif 000008
【図７】
2018190067.tif 000009
【図８】
2018190067.tif 000010
【図９】
2018190067.tif 000011
【図１０】
2018190067.tif 000012
【図１１】
2018190067.tif 000013
【図１２】
2018190067.tif 000014